(57)【特許請求の範囲】
【請求項１】
両端に把持部を有する支持棒の一対を互いに平行に所定距離を隔てて位置せしめた状態において、それら支持棒間にシートを架設すると共に、それら支持棒の対応する両端部間を連結して、その間隔を維持する連結アームを設け、そして前記一対の支持棒を、それぞれ、炭素繊維強化樹脂からなる中空のパイプ部材にて構成してなる担架において、前記連結アームが、その両端にそれぞれ固設された、前記支持棒の少なくとも把持部が挿通せしめられ得る大きさの取付円筒部を有していると共に、前記支持棒の両端部位に係止リングがそれぞれ固設されており、該係止リングに対する前記取付円筒部の係止によって、該取付円筒部内における前記支持棒の自由な回動が阻止され得るように構成されていることを特徴とする担架。
【請求項２】
前記連結アームの両端に設けた取付円筒部に、弾性係合片がそれぞれ設けられており、該弾性係合片が前記支持棒に設けた係合部に係合されることによって、かかる連結アームの支持棒からの抜け出しが阻止されるように構成されている請求項１記載の担架。
【請求項３】
前記連結アームに、前記支持棒を所定高さに保持し得る脚部が一体的に設けられている請求項１又は請求項２に記載の担架。
【請求項４】
前記支持棒両端の把持部の内部に、長手の空洞部が形成されていると共に、該空洞部内で、その長手方向に、該空洞部を仕切るリブが固設されている請求項１乃至請求項３の何れか一つに記載の担架。
【請求項５】
前記一対の支持棒の対応する両端の把持部内部の空洞部にそれぞれ設けられた前記リブが、左右の配置関係において、上下方向で逆八の字形状を呈するように配設されている請求項４記載の担架。
【請求項６】
前記支持棒の両端に設けられた把持部が、蓄光塗料にて塗装されている請求項１乃至請求項５の何れか一つに記載の担架。
【発明の詳細な説明】
【０００１】
【技術分野】
本発明は、傷病者等を乗せて運ぶ用具である担架に係り、特に、その取扱いが容易な担架の構造に関するものである。
【０００２】
【背景技術】
従来から、事故現場より傷病者等を乗せて運ぶ用具として、両端に把持部を有する一対の支持棒を互いに平行に所定距離を隔てて位置せしめた状態において、それら支持棒間にシートを架設してなる構成の担架が知られており、そしてそのような担架にあっては、傷病者等を支持するための強度を確保する上において、支持棒には鉄パイプが用いられている。また、かかる一対の支持棒としての鉄パイプの間の間隔を保持して、傷病者等の運搬を容易にするために、それら一対の鉄パイプ間には、クランク機構が設けられ、その伸展・折曲操作にて、使用状態と収容・保管状態が選択され得るようになっている。
【０００３】
しかしながら、そのような従来の担架にあっては、支持棒として鉄パイプが用いられているところから、重量があり、そのために、緊急災害時等に保管場所から現場まで長い距離の移動では、時間もかかり、また現場に到着したときには、その取扱者が疲れてしまい、その後の救助作業にも影響する等という問題が内在していたのであり、更に、鉄パイプによる支持のために、担架上に乗せられる傷病者等に対して、剛直な支持となるために、傷病者等に負担が加わる等の問題も内在していたのである。
【０００４】
また、支持棒間の間隔を維持するために、クランク機構を伸展すべく操作するときに、そのようなクランク機構の操作に手間がかかり、しかもクランク機構に手が挟まれる危険性もあって、使用時における担架の拡張作業に困難性を生じたり、また、作業の危険性も内在しており、更に、そのようなクランク機構による一対の支持棒の連結機構では、一対の支持棒の間隔を強固に保持することが困難であり、そのために担架の長手方向における捩じり作用によって、シート上に乗せられる傷病者等の支持面が撓み、傷病者等に苦痛を与える場合もあった。
【０００５】
【解決課題】
ここにおいて、本発明は、かかる事情を背景にして為されたものであって、その解決課題とするところは、緊急災害時等において、保管場所から現場まで、極めて容易に持ち運びすることの出来る、軽量で取扱いの容易な担架を提供することにある。
【０００６】
【解決手段】
そして、本発明は、かくの如き課題を解決するために、両端に把持部を有する支持棒の一対を互いに平行に所定距離を隔てて位置せしめた状態において、それら支持棒間にシートを架設すると共に、それら支持棒の対応する両端部間を連結し、その間隔を維持する連結アームを設けてなる担架にして、前記一対の支持棒を、それぞれ、炭素繊維強化樹脂からなる中空のパイプ部材にて構成したことを特徴とする担架を、その要旨とするものである。
【０００７】
すなわち、このような本発明に従う担架にあっては、その一対の支持棒が、それぞれ、炭素繊維強化樹脂からなる中空のパイプ部材にて構成されているところから、従来の鉄パイプからなる支持棒に比べて、極めて軽量化され、総重量も１／２以下と為すことが出来ることにより、緊急災害時等に保管場所から現場までの長い距離の移動においても、容易に、その運搬を行なうことが出来、力の弱い取扱者にあっても、疲れることなく、直ちに、後の災害救助活動等に従事することが出来ることとなったのであり、しかも、そのような炭素繊維強化樹脂からなる中空のパイプ部材は、担架上に乗せられる傷病者等の重量によって、ある程度の撓りを生ずるものであるところから、剛直感がなく、傷病者等への負担を和らげることも可能となったのである。
【０００８】
また、かかる本発明に従う担架にあっては、前記連結アームは、その両端にそれぞれ固設された、前記支持棒の少なくとも把持部が挿通せしめられ得る大きさの取付円筒部を有しており、これによって、それら連結アームと支持棒の取付け、換言すれば使用のための担架の組み立て作業が簡単に且つ容易に、また安全に為され得ることとなるのである。
【０００９】
さらに、本発明にあっては、前記支持棒の両端部位に係止リングがそれぞれ固設されており、該係止リングに対する前記取付円筒部の係止によって、該取付円筒部内における前記支持棒の自由な回動が阻止され得るように構成されており、それによって、一対の支持棒に捩じり作用が加わっても、撓むことなく、平坦な傷病者載置面（支持面）が保持され得るようになっている。
【００１０】
なお、本発明の有利な態様の一つによれば、前記連結アームの両端に設けた取付円筒部に、弾性係合片がそれぞれ設けられており、該弾性係合片が前記支持棒に設けた係合部に係合されることによって、かかる連結アームの支持棒からの抜け出しが阻止されるように構成されており、以て一対の支持棒の間隔が効果的に保持され得るようになっているのである。
【００１１】
本発明にあっては、また、有利には、前記連結アームに、前記支持棒を所定高さに保持し得る脚部が一体的に設けられている。このような脚部を設けることによって、担架は、地上より所定高さの位置に支持されることとなり、以て傷病者等の載置、搬送に好都合となるのである。
【００１２】
加えて、本発明の他の望ましい態様の一つによれば、前記支持棒両端の把持部の内部に、長手の空洞部が形成されていると共に、該空洞部内で、その長手方向に、該空洞部を仕切るリブが固設されており、これによって、かかる把持部の効果的な補強が為されるようになっているのであるが、その際、一対の支持棒の対応する両端の把持部内部の空洞部にそれぞれ設けられたリブは、望ましくは、左右の配置関係において、上下方向で逆八の字形状を呈するように配設され、これによって、より一層有効な補強効果が発揮せしめられ得るようになっているのである。
【００１３】
また、本発明に従う担架にあっては、有利には、前記支持棒の両端に設けられた把持部が、蓄光塗料にて塗装されている。この塗装された蓄光塗料にて、支持棒の両端の把持部は、暗闇の中でも明確に視認することが出来ることとなり、以て現場での救助作業等が容易となる特徴を発揮する。
【００１４】
【発明の実施の形態】
以下、図面を参照しつつ、本発明の構成について、更に具体的に明らかにすることとする。
【００１５】
先ず、図１は、本発明に従う担架の一例に係る平面図を示すものであって、そこにおいて、一対の支持棒２、２が、互いに平行に所定距離を隔てて位置せしめられている一方、それら支持棒２、２間に、合成繊維（ここでは、ビニロン）製のシート４が架設乃至は張架せしめられていると共に、それら支持棒２、２の対応する両端部間を連結する連結アーム６、６が設けられており、それら連結アーム６、６にて支持棒２、２の間隔が維持されて、シート４上に傷病者等を乗せ得る平坦面が形成されるようになっている。なお、支持棒２、２の両端には、担架を持ち運びするための把持部８、８が、一体的に設けられている。
【００１６】
そして、このような構成の担架において、一対の支持棒２、２が、それぞれ、炭素繊維強化樹脂からなる中空のパイプ部材にて、構成されているのである。即ち、そのような支持棒２を構成するパイプ部材は、よく知られているように、炭素繊維を織成してなるカーボンクロスを円筒状に巻いた状態において、それに含浸せしめたエポキシ樹脂等の熱硬化型の樹脂を加熱、硬化せしめることによって得られる複合パイプ部材であって、ここでは、カーボンクロスと共に、更に、ガラス繊維を織成してなるガラスクロスが積層されて、円筒状とされ、所定の樹脂にて硬化、一体化せしめられてなる構造とされている。
【００１７】
また、支持棒２、２の対応する端部間を連結して、その間隔を維持する連結アーム６は、図２にも示されている如く、アルミパイプ等の軽量な剛性のあるアーム本体１０と、該アーム本体１０の両端に、溶接等によってそれぞれ固設されたアルミ製等の剛性のある取付円筒部１２、１２とを有しており、それら取付円筒部１２、１２が、一対の支持棒２、２の対応する端部にそれぞれ設けられている把持部８、８上に外挿せしめられることによって、取り付けられ（図１参照）、以て一対の支持棒２、２間の間隔が一定となるようにされている。従って、かかる取付円筒部１２は、支持棒２の少なくとも把持部８が挿通せしめられ得る大きさ（内径）のものとして、構成されているのである。
【００１８】
しかも、かかる連結アーム６の端部の取付円筒部１２にあっては、その把持部８側の端部に、矩形（コ字型）の切欠き１２ａが形成されていると共に、そのような切欠き１２ａ上に延び出し、更に取付円筒部１２の端面から把持部８側に所定長さにて延び出した状態において、バネ鋼の如き金属製の板バネからなる弾性係合片１４が、ネジ１６にて取付円筒部１２上に固定せしめられている。なお、かかる切欠き１２ａと同方向において対称的に、同様な切欠き１２ｂが、取付円筒部１２の端部に設けられている。また、かかる弾性係合片１４の取付円筒部１２から延び出した先端部下側には、図４に示されている如く、金属製のブロック状乃至は板状の係合ピース１８が、ネジ２０にて固定せしめられている。
【００１９】
一方、支持棒２の両端部位には、金属製、好ましくはアルミ製の係止リング２２がそれぞれ外挿され、接着剤等にて位置固定に配設されている。この係止リング２２は、図２や図６からも明らかなように、周方向の一部がコの字型に折れ曲がり、把持部８の方向に突出した係止突起２４とされており、この係止突起２４の周方向の大きさが取付円筒部１２の切欠き１２ａの周方向の大きさに略一致せしめられて、かかる切欠き１２ａ内に、係止突起２４が嵌合せしめられ得るようになっている。なお、この係止リング２２における係止突起２４に対応する周方向部位には、該係止突起２４と同じ高さの補助突起２５が設けられており、前記取付円筒部１２の切欠き１２ｂに嵌合せしめられ得るようになっている（図４参照）。また、かかる係止突起２４のコの字型の内側の凹所２６は、シート４に向かって開口せしめられているものであるが、その凹所２６の周方向の大きさは、前記した弾性係合片１４の先端部にネジ止めされた係合ピース１８が係合され得る大きさとされて、弾性係合片１４に対する係合部として機能し得るようになっている。
【００２０】
そして、図２に示される如く、連結アーム６の両端部の取付円筒部１２、１２に対して、一対の支持棒２、２の対応する端部側の把持部８、８が挿通せしめられ、それぞれの支持棒２の端部上にまで連結アーム６（取付円筒部１２）が外挿されると、弾性係合片１４は、その弾性特性によって、係止リング２２の係止突起２４部分を乗り越え、その先端部に取り付けられた係合ピース１８が係止突起２４内側の凹所２６内に係合せしめられるようになる一方、係止突起２４は、取付円筒部１２の切欠き１２ａに嵌合せしめられて、そこに収容されるようになるのである（図３及び図４参照）。
【００２１】
このように、取付円筒部１２に設けた弾性係合片１４の先端の係合ピース１８が、弾性的に係止リング２２の凹所２６内に係合していることによって、最早、そのような係合弾性片１４の先端部を何等かの外力にて持ち上げない限り、取付円筒部１２と係止リング２２との係合・固定、換言すれば連結アーム６と支持棒２との固定は、解消され得ないのであり、以て連結アーム６の支持棒２からの抜け出しが、効果的に阻止され得るようになっている。また、コの字型の係止突起２４が、取付円筒部１２の切欠き１２ａ内に嵌合せしめられていることによって、かかる取付円筒部１２内において、支持棒２が自由に回動することが阻止されることとなるのであり、以て一対の支持棒２、２と二つの連結アーム６、６とによって形成される矩形形状が堅固なものとなって、担架に捩じり方向の力が作用しても、その矩形形状が歪んだり、撓んだりすることがないために、シート４上に乗せられる傷病者等の支持が困難となることもなく、その取扱い・輸送作業を有利に行ない得ることとなるのである。
【００２２】
なお、支持棒２から連結アーム６を取り外して、担架を保管する場合にあっては、弾性係合片１４の先端部位を指等にて持ち上げて、連結アーム６を引き抜くようにすれば、支持棒２から極めて簡単に取り外すことが可能である。
【００２３】
また、連結アーム６の両端部の取付円筒部１２の下部には、図４に示される如く、所定高さの脚部２７が、それぞれ、一体的に設けられており、担架全体としては四つの脚部２７にて、担架を地上から所定高さに保持し得るようになっており、これによって、担架を持ち上げたり、地上に下ろしたりする、取扱い作業が容易となるようにされている。なお、脚部２７には、ここでは、ゴム製のキャップ２８が被せられており、担架を載置したときの衝撃の吸収等が行なわれ得るようになっている。
【００２４】
さらに、支持棒２の両端部に一体的に設けられた、担架を持ち運びするための把持部８は、図４に示されるように、支持棒２と同様な、炭素繊維強化樹脂からなる複合材料にて構成されており、その内部に長手の空洞部３０が形成されていると共に、かかる空洞部３０内で、その長手方向に、かかる空洞部３０を仕切る補強材としてのリブ３２が固設されている。なお、この補強材としてのリブ３２は、ここでは、軽くて強い航空ベニヤが用いられている。しかも、ここでは、図５に示されるように、一対の支持棒２、２の対応する両端の把持部８、８内部の空洞部３０、３０にそれぞれ設けられたリブ３２、３２が、左右の配置関係において、上下方向で逆八の字形状を呈するように配設せしめられ、これによって把持部８の強度がより一層高められているのである。
【００２５】
しかも、かかる把持部８においては、その表面の全体に亘って蓄光塗料による塗装が施され、蓄光塗膜３４が所定厚さで形成されているのであり、これによって、暗闇時においても、把持部８が明確に視認され、担架の取扱いが容易となるようになっている。
【００２６】
従って、かくの如き構造の担架にあっては、支持棒に鉄パイプを用いた従来の担架とは異なり、炭素繊維強化樹脂からなる、極めて軽量な中空のパイプ部材にて、支持棒２が形成されているところから、担架全体としての軽量化が効果的に為され、以て担架全体の重量が、従来のものの１／２以下に、効果的に低減せしめられ得たのであり、これにより、緊急災害時等に、保管場所から現場まで、女性の如き力の弱い取扱い者の一人であっても、簡単に持ち運びすることが出来ることとなったのであり、しかも、そのような炭素繊維強化樹脂からなる中空パイプ部材の適度の撓り特性にて、鉄パイプの如き剛直感を与えるものではないところから、担架にて運ばれる傷病者等への負担も効果的に和らげることが出来ることとなったのである。
【００２７】
しかも、例示の具体例においては、把持部８が従来の木製のものとは異なり、炭素繊維強化樹脂にて構成されて、内部に長手の空洞部３０が設けられてなる構成とされていることによって、更に、担架の軽量化に寄与するものとなっているのである。
【００２８】
さらに、連結アーム６の両端部の取付円筒部１２内に支持棒２の端部の把持部８を挿通せしめて、弾性係合片１４の先端の係合ピース１８を係止リング２２の凹所２６に係合せしめると共に、係止突起２４を取付円筒部１２の切欠き１２ａに嵌合せしめるだけで、連結アーム６と一対の支持棒２、２との組付けが完了し、使用可能な状態の担架として準備出来るものであるところから、担架の組付け（準備）作業が極めて簡単且つ容易に行なわれ得る特徴があることに加えて、その組付け作業時において、取扱い者が手を挟まれる等の危険も惹起されることは全くないのであり、その取扱いの安全性において、極めて優れたものとなったのである。
【００２９】
また、取付円筒部１２と係止リング２２との間の嵌合構造にて、支持棒２（把持部８）が取付円筒部１２内において自由に回動され得ないこととなるために、支持棒２、２と連結アーム６、６にて形成される矩形構造が、外力による捩じり作用を受けても、変形せず、そのために担架の取扱い性が改善され、傷病者等の担架による運搬が容易となったのである。
【００３０】
以上、本発明の理解を容易にするために、本発明の一具体例を挙げ、詳細に説明してきたが、そのような具体例は、あくまでも、本発明に従う担架の一例に過ぎないものであって、それにより、本発明が限定的に解釈されるものでは決してなく、本発明の趣旨を逸脱しない限りにおいて、本発明には、当業者の知識に基づいて種々なる改良、修正、変更等を加え得るものであって、そのような態様の何れもが、本発明の範疇に属するものであることが、理解されるべきである。
【００３１】
例えば、シート４としては、有利には、ポリビニルアルコール繊維（商品名：ビニロン）等の合成繊維製の布が、より一層の軽量化を図る上において有利に用いられ得るものであるが、勿論、従来の如く、綿布乃至は帆布等の布はくを用いることも可能である。
【００３２】
また、取付円筒部１２と係止リング２２との係止構造や、弾性係合片１４の支持棒２に設けた係合部（２６）に対する係合構造にあっても、例示の構造に止まることなく、当業者の知識に基づいて、各種の係止乃至は係合構造が採用され得るものであることも、また、言うまでもないところである。
【００３３】
【発明の効果】
以上の説明から明らかな如く、本発明に従う担架にあっては、支持棒として、炭素繊維強化樹脂からなる中空のパイプ部材が用いられているところから、担架全体としての軽量化が効果的に実現され得て、緊急災害時等に、その保管場所から現場までの担架の移動を、大きな労力を費やすことなく、容易に行なうことが出来ることとなったのであり、その持ち運びに疲れて、現場に到着した後の救助活動への影響も、効果的に低減乃至は回避し得ることとなった他、かかる軽量な中空パイプ部材の適度な撓り特性にて、担架にて運ばれる傷病者等への負担も効果的に和らげることが出来ることとなったのである。
【図面の簡単な説明】
【図１】本発明に従う担架の一例を示す平面図である。
【図２】図１に示される担架における支持棒端部に対する連結アームの組付けの工程を示す説明図である。
【図３】図１に示される担架における支持棒端部への連結アームの取付円筒部の挿通、固定状態を示す拡大部分説明図である。
【図４】図３におけるＢ−Ｂ断面拡大説明図である。
【図５】図２におけるＡ−Ａ断面拡大説明図である。
【図６】図１に示される担架において用いられる係止リングの形状を示す説明図である。
【符号の説明】
２    支持棒                  ４    シート
６    連結アーム              ８    把持部
１０    アーム本体            １２    取付円筒部
１２ａ、１２ｂ    切欠き
１４    弾性係合片            １６、２０    ネジ
１８    係止ピース            ２２    係止リング
２４    係止突起              ２５    補助突起
２６    凹所                  ２７    脚部
２８    キャップ              ３０    空洞部
３２    リブ                  ３４    蓄光塗膜
【図１】
0004267729.tif 000002
【図２】
0004267729.tif 000003
【図３】
0004267729.tif 000004
【図４】
0004267729.tif 000005
【図５】
0004267729.tif 000006
【図６】
0004267729.tif 000007